(57)【要約】【課題】配管施工時の施工不良や配管の経年劣化等によるオゾン漏れ対策を施したグリストラップ等の阻集器の浄化装置の提供。【解決手段】オゾンを発生させるオゾン発生器１１と、空気を送るエアーポンプ装置１２と、グリストラップ１にエアーポンプ装置１２により送り込む空気とオゾン発生器１１により発生させたオゾンとを混合して導入する配管１４と、エアーポンプ装置１２を動作させた状態でオゾン発生器１１を所定時間動作させた後、エアーポンプ装置１２を動作させ続けたままオゾン発生器１１を所定時間停止させる間欠動作をオゾン発生器１１に繰り返し行わせるためのタイマ制御装置１３とを備える。【選択図】  図１
2007044617.tif 000002
【特許請求の範囲】
【請求項１】
オゾンを発生させるオゾン発生器と、
空気を送るエアーポンプ装置と、
阻集器に前記エアーポンプ装置により送り込む空気と前記オゾン発生器により発生させたオゾンとを混合して導入する配管と、
前記エアーポンプ装置を動作させた状態で前記オゾン発生器を所定時間動作させた後、前記エアーポンプ装置を動作させ続けたまま前記オゾン発生器を所定時間停止させる間欠動作を前記オゾン発生器に繰り返し行わせるためのタイマ制御装置と
を備えた阻集器の浄化装置。
【請求項２】
前記タイマ制御装置は、前記配管内のオゾンが前記エアーポンプ装置により送り込まれる空気によって全て分解されるまでの間、前記オゾン発生器を停止させた状態で前記エアーポンプ装置を動作させるものである請求項１記載の阻集器の浄化装置。
【請求項３】
前記タイマ制御装置は、前記オゾン発生器の間欠動作の繰り返しを停止させた場合に、前記エアーポンプ装置を所定時間動作させた後に停止させるためのものである請求項１または２に記載の阻集器の浄化装置。
【請求項４】
前記阻集器はグリストラップである請求項１から３のいずれかに記載の阻集器の浄化装置。
【発明の詳細な説明】
【技術分野】
【０００１】
本発明は、汚水から油脂、ガソリンや土砂等を分離する阻集器の浄化装置に関する。
【背景技術】
【０００２】
汚水が油脂、ガソリン、土砂その他排水のための配管設備の機能を著しく妨げ、または、排水のための配管設備を損傷するおそれのあるものを含む場合においては、有効な位置に阻集器を設けることが定められている。例えば、厨房などには阻集器としてのグリストラップが設置されるが、このグリストラップには大量の油脂分を含む雑排水が流れ込むため、この油脂分がグリストラップ内で冷却され凝固すると、目詰まりを起こす原因となる。
【０００３】
従来、このグリストラップを浄化、除菌する技術が多数提案され、中でも脱臭、殺菌にオゾンを利用したものが注目されている。オゾンをグリストラップに放出すると油と脂肪が分解され、表面に浮上して凝固しなくなるとともに、スカム、汚水のこびりつき、雑菌や悪臭が化学分解されるので、目詰まりを起こすことがなく、槽内の浮遊物をきれいに分離することができる。
【０００４】
また、例えば、特許文献１には、オゾン生成器で生成されたオゾンを厨房室とグリストラップに送り込むことによって厨房室とグリストラップを浄化、除菌するシステムが記載されている。また、このシステムには、厨房室を昼間に、グリストラップを夜間に集中して浄化、除菌できるように、周期タイマが設けられている。さらに、このシステムでは、５分間程度オゾンの曝気作動をした後、５分間程度休止するという曝気方式を採用することにより、槽内に油玉ができるのを防止している。
【０００５】
【特許文献１】特開２００４−７３７７５号公報
【発明の開示】
【発明が解決しようとする課題】
【０００６】
ところで、上記のような従来のオゾンを利用したグリストラップの浄化システムでは、オゾン生成器により生成されたオゾンを、配管を通じてグリストラップまで送り込んでいるが、この配管からオゾンが外部へ漏れないように注意しなければならない。すなわち、配管施工時の施工不良や配管の経年劣化等により配管からオゾンが漏れ出さないようにする必要がある。
【０００７】
特許文献１のシステムでは、５分程度オゾンの曝気作動をした後、５分間程度休止するという曝気方式を採用しているが、休止状態においてもオゾンは配管内に残留するため、やはり配管からオゾンが漏れ出す可能性がある。オゾンが配管から漏れ出すと、周囲のオゾン濃度が高くなるので注意が必要である。
【０００８】
そこで、本発明においては、配管施工時の施工不良や配管の経年劣化等によるオゾン漏れ対策を施したグリストラップ等の阻集器の浄化装置を提供することを目的とする。
【課題を解決するための手段】
【０００９】
本発明の阻集器の浄化装置は、オゾンを発生させるオゾン発生器と、空気を送るエアーポンプ装置と、阻集器にエアーポンプ装置により送り込む空気とオゾン発生器により発生させたオゾンとを混合して導入する配管と、エアーポンプ装置を動作させた状態でオゾン発生器を所定時間動作させた後、エアーポンプ装置を動作させ続けたままオゾン発生器を所定時間停止させる間欠動作をオゾン発生器に繰り返し行わせるためのタイマ制御装置とを備えたものである。
【００１０】
本発明の阻集器の浄化装置によれば、オゾン発生器により発生させたオゾンをエアーポンプ装置により空気と混合して配管により阻集器まで導入する際、タイマ制御装置によりエアーポンプ装置を動作させた状態でオゾン発生器を所定時間動作させた後、エアーポンプ装置を動作させ続けたままオゾン発生器を所定時間停止させる間欠動作をオゾン発生器に繰り返し行わせることにより、配管内のオゾンをエアーポンプ装置により送り込まれる空気によって全て分解させることができる。
【００１１】
ここで、タイマ制御装置は、オゾン発生器の間欠動作の繰り返しを停止させた場合に、エアーポンプ装置を所定時間動作させた後に停止させるためのものであることが望ましい。これにより、オゾン発生器の間欠動作の繰り返しを停止させた場合に、エアーポンプ装置を所定時間動作させることにより、配管内のオゾンを全て分解させることができる。
【発明の効果】
【００１２】
（１）オゾンを発生させるオゾン発生器と、空気を送るエアーポンプ装置と、阻集器にエアーポンプ装置により送り込む空気とオゾン発生器により発生させたオゾンとを混合して導入する配管と、エアーポンプ装置を動作させた状態でオゾン発生器を所定時間動作させた後、エアーポンプ装置を動作させ続けたままオゾン発生器を所定時間停止させる間欠動作をオゾン発生器に繰り返し行わせるためのタイマ制御装置とを備えたことにより、配管内にオゾンを残留させることなく全て分解させることができるので、配管施工時の施工不良や配管の経年劣化等が発生してもオゾンが外部に漏れることがない。
【００１３】
（２）タイマ制御装置が、オゾン発生器の間欠動作の繰り返しを停止させた場合に、エアーポンプ装置を所定時間動作させた後に停止させるためのものであることにより、オゾン発生器の間欠動作の繰り返しを停止させた場合であっても、配管内のオゾンを全て分解させることができるので、配管施工時の施工不良や配管の経年劣化等が発生してもオゾンが外部に漏れることがない。
【発明を実施するための最良の形態】
【００１４】
図１は本発明の実施の形態における阻集器としてのグリストラップの浄化システムの概略構成図である。
【００１５】
図１において、本発明の実施の形態におけるグリストラップの浄化システムは、グリストラップ１と、このグリストラップ１に設置される浄化装置１０とから構成される。浄化装置１０は、オゾンを発生させるオゾン発生器１１と、空気を送るエアーポンプ装置１２と、オゾン発生器１１およびエアーポンプ装置１２をタイマ制御するタイマ制御装置１３とを備える。また、浄化装置１０は、エアーポンプ装置１２により送り込む空気とオゾン発生器１１により発生させたオゾンとを混合して導入する配管１４と、配管１４により導入されたオゾン混合空気をグリストラップ１の槽内に吐出する多数の小孔１５を備えた散気管１６とを備える。
【００１６】
タイマ制御装置１３は、エアーポンプ装置１２を動作させた状態でオゾン発生器１１を所定時間動作させた後、エアーポンプ装置１２を動作させ続けたままオゾン発生器１１を所定時間停止させる間欠動作をオゾン発生器１１に繰り返し行わせるためにタイマ制御を行うものである。
【００１７】
図２はタイマ制御装置１３によりエアーポンプ装置１２およびオゾン発生器１１をタイマ制御した場合のオゾン濃度と空気の送出量を示す図である。
【００１８】
浄化装置１０の動作開始時、エアーポンプ装置１２とオゾン発生器１１とを共に動作させると、タイマ制御装置１３は、所定時間経過後、エアーポンプ装置１２を動作させ続けたまま、オゾン発生器１１の動作を所定時間停止させる。これにより、図２に示すように、配管１４を通じてグリストラップ１の槽内に導入されるオゾン混合空気のオゾン濃度は、高い状態からゼロの状態まで減少する。すなわち、タイマ制御装置１３は、配管１４内のオゾンがエアーポンプ装置１３により送り込まれる空気と接触することにより全て分解されるまでの間、オゾン発生器１１を停止させた状態でエアーポンプ装置１２のみを動作させる。
【００１９】
続けて、タイマ制御装置１３は、同様に、エアーポンプ装置１２を動作させたままの状態でオゾン発生器１１を所定時間動作させ、その後、エアーポンプ装置１２を動作させ続けたまま再びオゾン発生器１１のみを所定時間停止させる。これにより、図２に示すようにオゾン濃度は、再びゼロの状態から高い状態まで増加した後、ゼロの状態まで減少する。タイマ制御装置１３はこのようにオゾン発生器１１の間欠動作を繰り返す。そして、このオゾン発生器１１の繰り返しを停止させた場合には、タイマ制御装置１３は、エアーポンプ装置１２を所定時間動作させた後に停止させる。すなわち、タイマ制御装置１３は、図２に示すようにオゾン濃度がゼロの状態まで減少した状態でエアーポンプ装置１２を停止させる。
【００２０】
以上のように、本実施形態における浄化装置１０によれば、オゾン発生器１１により発生させたオゾンをエアーポンプ装置１２により空気と混合して配管１４によりグリストラップ１まで導入する際、タイマ制御装置１３によりエアーポンプ装置１２を動作させた状態でオゾン発生器１１を所定時間動作させた後、エアーポンプ装置１２を動作させ続けたままオゾン発生器１１を所定時間停止させる間欠動作をオゾン発生器１１に繰り返し行わせることにより、配管１４内のオゾンをエアーポンプ装置１２により送り込まれる空気によって全て分解させることができる。したがって、配管施工時の施工不良や配管の経年劣化等が発生してもオゾンは配管１４内で完全に分解されているため、外部に漏れることがない。
【００２１】
また、本実施形態における浄化装置１０では、タイマ制御装置１３が、オゾン発生器１１の間欠動作の繰り返しを停止させた場合に、エアーポンプ装置１２を所定時間動作させた後に停止させるので、停止時にも配管１４内のオゾンが全て分解され、配管施工時の施工不良や配管の経年劣化等が発生してもオゾンが外部に漏れることがない。
【産業上の利用可能性】
【００２２】
本発明の阻集器の浄化装置は、汚水から油脂、ガソリンや土砂等を分離する阻集器の浄化装置として有用である。特に、本発明の阻集器の浄化装置は、大量の油脂分を含む雑排水が流れ込むグリストラップの浄化装置として好適である。
【図面の簡単な説明】
【００２３】
【図１】本発明の実施の形態における阻集器としてのグリストラップの浄化システムの概略構成図である。
【図２】タイマ制御装置によりエアーポンプ装置およびオゾン発生器をタイマ制御した場合のオゾン濃度と空気の送出量を示す図である。
【符号の説明】
【００２４】
１  グリストラップ
１０  浄化装置
１１  オゾン発生器
１２  エアーポンプ装置
１３  タイマ制御装置
１４  配管
１５  小孔
１６  散気管
【図１】
2007044617.tif 000003
【図２】
2007044617.tif 000004